【事件の表示】
　特許第３２３２５５８号「表示素子」の請求項１に係る特許に対する特許異議の申立てについて、次のとおり決定する。
【結　論】
　訂正を認める。
　特許第３２３２５５８号の請求項１に係る特許を取り消す。
【理　由】
１．手続の経緯
　特許第３２３２５５８号（請求項の数１）に係る発明についての出願は、平成９年１０月２１日に特許出願され、平成１３年９月２１日にその発明について特許権の設定登録がなされ、その後、請求項１に係る特許について、申立人・株式会社デンソーより特許異議の申立がなされ、平成１５年１月１０日付けで取消理由が通知され、その指定期間内である平成１５年２月２１日に訂正請求がされた後、平成１５年７月９日付けで再度の取消理由が通知されたものである。
　
２．訂正の適否についての判断
（１）訂正の内容
　ア．訂正事項ａ
　　特許請求の範囲の請求項１の「左中央個所に」と「設けた」の間に、「
設け、前記右中央個所の前記セグメントの前記第一の外形線と共に外側に凸の曲線をなす曲線からなる第三の外形線を有する他のセグメントを
　イ．訂正事項ｂ
　　明細書の段落【０００４】の「左中央個所１２に」と「設けた」の間に、「
設け、前記右中央個所１１の前記セグメントＧの前記第一の外形線と共に外側に凸の曲線をなす曲線からなる第三の外形線を有する他のセグメントＦ，Ｉを
　ウ．訂正事項ｃ
　　明細書の段落【００１３】の「左中央個所に」と「設けた」の間に、「
設け、前記右中央個所の前記セグメントＧの前記第一の外形線と共に外側に凸の曲線をなす曲線からなる第三の外形線を有する他のセグメントを
　エ．訂正事項ｄ
　　明細書の段落【０００３】の「なってなって」を、「
なって
　オ．訂正事項ｅ
　　明細書の段落【０００４】の「及１１び」を、「
１１及び
（２）訂正の目的の適否、新規事項の有無及び拡張・変更の存否
　上記訂正事項ａは、明細書の段落【０００９】及び図４の記載に基いて、特許請求の範囲に「前記右中央個所の前記セグメントの前記第一の外形線と共に外側に凸の曲線をなす曲線からなる第三の外形線を有する他のセグメントを設ける」点を付加するものであるから、特許請求の範囲の減縮を目的とした明細書の訂正に該当し、また、上記訂正事項ｂ及びｃは、上記訂正事項ａと整合を図るものであるから、明りょうでない記載の釈明を目的とした明細書の訂正に該当し、さらに、上記訂正事項ｄ及びｅは、誤記の訂正に該当するものである。
　そして、上記いずれの訂正事項も、新規事項の追加に該当せず、実質上特許請求の範囲を拡張し、又は変更するものではない。
（３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
　上記２．で示したように上記訂正が認められるから、本件の請求項１に係る発明は、上記訂正に係る訂正明細書の特許請求の範囲の請求項１に記載した事項により特定される次のとおりのものである。
「日の字形に配設された複数のセグメントにより数字を表示する数字表示部を有する表示素子であって、
　外側に凸の曲線からなる２本の第一の外形線と直線からなる１本の第二の外形線とで囲まれたセグメントを前記数字表示部の右中央個所及び左中央個所に設け、
　前記右中央個所の前記セグメントの前記第一の外形線と共に外側に凸の曲線をなす曲線からなる第三の外形線を有する他のセグメントを設けたことを特徴とする表示素子。」
　これに対して、上記のように再度の取消理由を通知し、期間を指定して意見書を提出する機会を与えたが、特許権者からは何らの応答もない。
　そして、上記の取消理由は妥当なものと認められるので、本件の請求項１に係る特許は、この取消理由によって取り消すべきものである。
　よって、結論のとおり決定する。
【異議決定日】
平成１５年１０月１５日（２００３．１０．１５）
【訂正の要旨】
審決（決定）の【理由】欄参照。
（５４）【発明の名称】
表示素子
（５７）【特許請求の範囲】
　【請求項１】　日の字形に配設された複数のセグメントにより数字を表示する数字表示部を有する表示素子であって、
　外側に凸の曲線からなる２本の第一の外形線と直線からなる１本の第二の外形線とで囲まれたセグメントを前記数字表示部の右中央個所及び左中央個所に
設け、
　前記右中央個所の前記セグメントの前記第一の外形線と共に外側に凸の曲線をなす曲線からなる第三の外形線を有する他のセグメントを
【発明の詳細な説明】
　【０００１】
　【発明の属する技術分野】
　本発明は、表示素子に関するものであり、特に日の字形に配設された複数のセグメントからなる数字表示部を有する表示素子に関する。
　【０００２】
　【従来の技術】
　従来より、複数のセグメントａ〜ｇからなる数字表示部１を有する液晶表示素子２がある（図５参照）。液晶表示素子２には４組の数字表示部１が配設されており、これらの数字表示部１により４桁の数字を表示する。図６示すように、数字表示部１は７個のセグメントａ〜ｇを日の字形に配設したものであり、各セグメントａ〜ｇを適宜透過状態または不透過状態とすることにより数字を表示する。例えば、液晶表示素子２がポジ表示型の場合、セグメントｂ、ｃ、ｆ、ｇを不透過状態にし、セグメントａ，ｄ，ｅを透過状態にすることにより、「４」を表示する（図７参照）。
　【０００３】
　【発明が解決しようとする課題】
　上述の数字表示部１は、少数のセグメントａ〜ｇで「０」〜「９」を表示できるという利点を有している。しかしながら、数字表示部１のセグメントａ〜ｇで表示された数字は、図８に示すような美しい輪郭の数字ではなかった。例えば、数字表示部１の右中央個所３は、「２」，「５」，「６」を表示するときは丸い輪郭であることが望ましいが、右中央個所３は２つの鈍角を有する輪郭となっている。また、数字表示部１の左下隅個所４は、「０」，「３」，「５」，「６」，「８」，「９」を表示するときは丸い輪郭であり、「２」を表示する場合は鋭角の輪郭であることが望ましいが、左下隅個所４は角の輪郭と
なって
　【０００４】
　【課題を解決するための手段】
　本発明は、前記課題を解決するため、日の字形に配設された複数のセグメントにより数字を表示する数字表示部８，９を有する表示素子６であって、外側に凸の曲線からなる２本の第一の外形線と直線からなる１本の第二の外形線とで囲まれたセグメントＧ，Ｐを前記数字表示部８，９の右中央個所
１１及び
設け、前記右中央個所１１の前記セグメントＧの前記第一の外形線と共に外側に凸の曲線をなす曲線からなる第三の外形線を有する他のセグメントＦ，Ｉを
　【０００５】
　【発明の実施の形態】
　数字表示部８，９に、右中央個所１１及び左中央個所１２に配設され外側に凸の曲線からなる２本の第一の外形線と直線からなる１本の第二の外形線とで囲まれたセグメントＧ，Ｐを設ける。
　【０００６】
　【実施例】
　以下、添付の図面に基づいて、本発明を車両用計器に用いられる液晶表示素子に適用した一実施例を説明する。図１は数字表示部の説明図であり、図２は液晶表示素子の正面図である。
　【０００７】
　６は液晶表示素子であり、この液晶表示素子６はネガ表示型となっている。液晶表示素子６は車両の速度等を表示するものであり、数字表示部７，８，９及び円弧状のバーグラフ１０を有している。数字表示部７は「１」を表示でき、数字表示部８，９は「０」〜「９」を表示できる。バーグラフは列状に配設された多数のセグメントからなるものであり、速度に応じて伸縮するバー（即ち、透過状態とされたセグメント）により速度を表示する。
　【０００８】
　図１に示すように、数字表示部８，９は、日の字形に配設された２１個のセグメントＡ〜Ｕからなるものであり、セグメントＡ〜Ｄからなる上側横帯部，セグメントＥ〜Ｋからなる右側縦帯部，セグメントＬ，Ｍからなる下側横帯部，セグメントＮ〜Ｔからなる左側縦帯部及びセグメントＵからなる中側横帯部を有している。図３に示すように、数字表示部８，９は、各セグメントＡ〜Ｕを適宜透過状態または不透過状態とすることにより、「０」〜「９」を表示する。なお、既に述べたように液晶表示素子６はネガ表示型となっており、数字は液晶表示素子６を透過する光の色で表示されるが、図３においては数字を黒色で図示している。
　【０００９】
　数字表示部８，９の右中央個所１１及び左中央個所１２には、セグメントＦ，Ｇ，Ｉ，Ｏ，Ｐ，Ｒの外側に凸の曲線からなる外形線と対向する内側に凸の曲線からなる外形線を有するセグメントＦ，Ｈ，Ｉ，Ｏ，Ｑ，Ｒが設けられており、右中央個所１１及び左中央個所１２に丸い輪郭を表示できる。例えば、図４に示すように、右中央個所１１には、セグメントＦ，Ｇの外側に凸の曲線からなる外形線Ｆ１，Ｇ１と対向する内側に凸の曲線からなる外形線Ｈ１，Ｉ１を有するセグメントＨ，Ｉが設けられており、「２」を表示するときに、セグメントＦ，Ｇを透過状態にセグメントＨ，Ｉを不透過状態にすることにより、右斜め下方に凸の丸い輪郭を表示できる。また、セグメントＧ，Ｉの外側に凸の曲線からなる外形線Ｇ２，Ｉ２と対向する内側に凸の曲線からなる外形線Ｆ２，Ｈ２を有するセグメントＦ，Ｈが設けられており、「５」，「６」を表示するときに、セグメントＧ，Ｉを透過状態にセグメントＦ，Ｈを不透過状態にすることにより、右斜め上方に凸の丸い輪郭を表示できる。
　【００１０】
　また、数字表示部８，９の右上隅個所１３，右下隅個所１４，左下隅個所１５及び左上隅個所１６には、セグメントＣ，Ｊ，Ｌ，Ｓの外側に凸の曲線からなる外形線と対向する内側に凸の曲線からなる外形線と、直線からなる２本の外形線と、で囲まれたセグメントＤ，Ｋ，Ｍ，Ｔが設けられており、丸い輪郭及び角の輪郭を表示できる。例えば、左下隅個所１５にはセグメントＭが設けられており、「２」を表示するときにセグメントＬ，Ｍを透過状態とすることにより鋭角の輪郭を表示し、「０」，「３」，「５」，「６」，「８」，「９」を表示するときにセグメントＬを透過状態にセグメントＭを不透過状態にすることにより丸い輪郭を表示できる。
　【００１１】
　また、数字表示部８，９の右中央個所１１及び左中央個所１２には、３本の外形線で囲まれたセグメントＧ，Ｈ，Ｐ，Ｑが設けられており、セグメントＧ，Ｈは「０」，「１」，「７」を表示するときに透過状態に、セグメントＰ，Ｑは「０」を表示するときに透過状態にすることにより、右中央個所１１及び左中央個所１２に括れがない数字を表示できる。
　【００１２】
　以上述べた実施例によれば、数字表示部８，９をセグメントＡ〜Ｕで構成することにより、美しい輪郭の数字を表示できる。なお、本実施例は本発明を液晶表示素子６に適用したものであったが、表示素子は例えば蛍光表示管（ＶＦＤ）であっても良い。
　【００１３】
　【発明の効果】
　本発明は、日の字形に配設された複数のセグメントにより数字を表示する数字表示部を有する表示素子であって、外側に凸の曲線からなる２本の第一の外形線と直線からなる１本の第二の外形線とで囲まれたセグメントを前記数字表示部の右中央個所及び左中央個所に
設け、前記右中央個所の前記セグメントＧの前記第一の外形線と共に外側に凸の曲線をなす曲線からなる第三の外形線を有する他のセグメントを
【図面の簡単な説明】
　【図１】　本発明の実施例を示す数字表示部の拡大図。
　【図２】　同上実施例を示す液晶表示素子の正面図。
　【図３】　同上実施例を示す「０」〜「９」の表示説明図。
　【図４】　同上実施例を示すセグメントの拡大図。
　【図５】　従来例を示す液晶表示素子の正面図。
　【図６】　同上従来例を示す数字表示部の拡大図。
　【図７】　同上従来例を示す「０」〜「９」の表示説明図。
　【図８】　同上従来例を示す数字説明図。
　【符号の説明】
　　　６　液晶表示素子
　８，９　数字表示部
　　１１　右側中央個所
　　１２　左側中央個所
　　１３　右上隅個所
　　１４　右下隅個所
　　１５　左下隅個所
　　１６　左上隅個所
　Ａ〜Ｕ　セグメント